(57)【要約】  本発明は、輝度の均一性を向上させることが可能な有機エレクトロルミネッセンス照明装置を提供することを課題とする。本発明の有機エレクトロルミネッセンス照明装置は、有機発光膜５と、有機発光膜５を挟んで互いに対向して積層され、極性が互いに異なる矩形の一対の電極膜であって、一方の電極膜２ａの表面における互いに対向する端辺の各々が給電用端子部６ａ、６ｂである一対の電極膜２ａ、２ｂと、電極膜２ａの表面に互いに間隔を取って形成され、複数の第１の補助電極膜３ａまたは複数の第２の補助電極膜３ｂの少なくとも一方で構成されている補助電極膜群３と、を有し、複数の第１の補助電極膜３ａを端辺に垂直な方向に切断した断面で見たときの断面積が、端辺から離れた第１の補助電極膜３ａほど大きくなっており、複数の第２の補助電極膜３ｂの各々を端辺に平行な方向に切断した断面で見たときの断面積が、端辺から離れるにつれて大きくなっている。
2011155306.tif 000002
【特許請求の範囲】
【請求項１】
有機発光膜と、
前記有機発光膜を挟んで互いに対向して積層され、極性が互いに異なる矩形の一対の電極膜であって、一方の前記電極膜の表面における互いに対向する端辺の各々が、電源に接続される給電用端子部である一対の電極膜と、
前記一方の電極膜の表面に互いに間隔を取って形成され、前記端辺に平行な方向に延びている帯状の複数の第１の補助電極膜または前記端辺に垂直な方向に延びている帯状の複数の第２の補助電極膜の少なくとも一方で構成されている補助電極膜群と、を有し、
前記複数の第１の補助電極膜を前記端辺に垂直な方向に切断した断面で見たときの断面積が、前記端辺から離れた第１の補助電極膜ほど大きくなっており、前記複数の第２の補助電極膜の各々を前記端辺に平行な方向に切断した断面で見たときの断面積が、前記端辺から離れるにつれて大きくなっている、有機エレクトロルミネッセンス照明装置。
【請求項２】
有機発光膜と、
前記有機発光膜を挟んで互いに対向して積層され、極性が互いに異なる矩形の一対の電極膜であって、一方の前記電極膜の表面における互いに対向する端辺の各々が、電源に接続される給電用端子部である一対の電極膜と、
前記一方の電極膜の表面に互いに間隔を取って形成され、前記端辺に平行な方向に延びている帯状の複数の第１の補助電極膜と、を有し、
前記一方の電極膜の表面における前記複数の第１の補助電極膜の本数を示す配線密度が、前記端辺から離れるにつれて高くなっている、有機エレクトロルミネッセンス照明装置。
【請求項３】
前記端辺から離れた第１の補助電極膜ほど幅が広くなっており、前記複数の第２の補助電極膜の各々の幅が、前記端辺から離れるにつれて広くなっている、請求項１に記載の有機エレクトロルミネッセンス照明装置。
【請求項４】
前記複数の第１の補助電極膜が、前記一方の電極膜の表面の中心で互いに直交し前記端辺に平行な方向に延びている第１の軸線および前記端辺に垂直な方向に延びている第２の軸線の各々に関して対称形になるように形成され、前記複数の第１の補助電極膜の各々の幅が前記第２の軸線に近付くにつれて広くなっており、前記複数の第２の補助電極膜が前記第１の軸線および前記第２の軸線の各々に関して対称形になるように形成され、前記複数の第２の補助電極膜の各々の幅が前記第２の軸線に近付くにつれて広くなっている、請求項３に記載の有機エレクトロルミネッセンス照明装置。
【請求項５】
前記端辺から離れた第１の補助電極膜ほど膜厚が厚くなっており、前記複数の第２の補助電極膜の各々の膜厚が、前記端辺から離れるにつれて厚くなっている、請求項１に記載の有機エレクトロルミネッセンス照明装置。
【請求項６】
他方の前記電極膜の表面における互いに対向する他の端辺の各々が、前記電源に接続される他の給電用端子部であり、
前記他方の電極膜の表面に互いに間隔を取って形成され、前記他の端辺に平行な方向に延びている帯状の複数の第３の補助電極膜または前記他の端辺に垂直な方向に延びている帯状の第４の補助電極膜の少なくとも一方で構成されている他の補助電極膜群をさらに有し、
前記複数の第３の補助電極膜を前記他の端辺に垂直な方向に切断した断面で見たときの断面積が、前記他の端辺から離れた第３の補助電極膜ほど大きくなっており、前記複数の第４の電極膜の各々を前記他の端辺に平行な方向に切断した断面で見たときの断面積が、前記他の端辺から離れるにつれて大きくなっている、請求項１から５までのいずれか１項に記載の有機エレクトロルミネッセンス照明装置。
【請求項７】
他方の前記電極膜の表面における互いに対向する他の端辺の各々が、前記電源に接続される他の給電用端子部であり、
前記他方の電極膜の表面に互いに間隔を取って形成され、前記他の端辺に平行な方向に延びている帯状の複数の第３の補助電極膜をさらに有し、
前記他方の電極膜の表面における前記複数の第３の補助電極膜の本数を示す配線密度が、前記他の端辺から離れるにつれて高くなっている、請求項１から５までのいずれか１項に記載の有機エレクトロルミネッセンス照明装置。
【発明の詳細な説明】
【技術分野】
【０００１】
本発明は、極性が互いに異なる一対の電極膜で有機発光膜を挟んだ発光素子を光源とする有機エレクトロルミネッセンス照明装置に関する。
【背景技術】
【０００２】
照明装置の一つに、極性が互いに異なる一対の電極膜で有機発光膜を挟んだ発光素子を光源とする有機エレクトロルミネッセンス照明装置がある。有機エレクトロルミネッセンス照明装置では、有機発光膜は、一対の電極膜間に電界が発生したときに発光する。有機発光膜の光は、電極膜の一方を透過して外部に照射される。そのため、電極膜の一方は、例えばＩＴＯ（Indium  Tin  Oxide）、ＺｎＯ、ＳｎＯ２（ネサガラス）などの透明な金属材料で形成される。【０００３】
しかし、上述した透明な金属材料は、抵抗率が比較的大きい。また、電極膜は、一般的に、その表面における互いに対向する端辺の各々が給電用の端子となっている。そのため、電極膜では、端辺の各々から離れるにつれて配線抵抗が増加する。配線抵抗の増加に伴って降下電圧も増加するので、有機発光膜全体に電圧が均等に印加されなくなる。有機発光膜の輝度は、電圧に依存しているので、有機発光膜に電圧が均等に印加されないと、有機発光膜の輝度が不均一になる可能性がある。【０００４】
そこで、有機発光膜の輝度の不均一を抑制するための有機エレクトロルミネッセンス照明装置が提案され、特許文献１（特開２００４−１４１２８号公報）に開示されている。特許文献１には、透明電極の表面に、透明電極よりも抵抗率の低い材料で形成された補助電極を格子状に配置した有機エレクトロルミネッセンス照明装置が開示されている。この有機エレクトロルミネッセンス照明装置によれば、透明電極よりも抵抗率の低い補助電極を透明電極に形成することによって透明電極全体の抵抗値が低減する。これにより、配線抵抗が低減するので降下電圧の値も低減する。よって、有機発光膜における輝度の不均一を抑制することが可能となる。
【先行技術文献】
【特許文献】
【０００５】
【特許文献１】特開２００４−１４１２８号公報
【発明の概要】
【発明が解決しようとする課題】
【０００６】
しかしながら、特許文献１に記載の有機エレクトロルミネッセンス照明装置では、補助電極は、形状（幅、膜厚）が同一であり、かつ等間隔で透明電極の表面に配置されている。そのため、透明電極の端辺の各々から透明電極全体に電圧が印加されたとき、端辺から離れるにつれて（端辺から中心に近付くにつれて）電圧降下が生じる。その結果、透明電極における電圧の分布がばらつくので有機発光膜における電圧の分布もばらつく。したがって、特許文献１に記載の有機エレクトロルミネッセンス照明装置は、輝度の均一性が不十分である。【０００７】
そこで、本発明は、輝度の均一性を向上させることが可能な有機エレクトロルミネッセンス照明装置を提供することを目的とする。
【課題を解決するための手段】
【０００８】
上記目的を達成するため本発明の有機エレクトロルミネッセンス照明装置は、有機発光膜と、前記有機発光膜を挟んで互いに対向して積層され、極性が互いに異なる矩形の一対の電極膜であって、一方の前記電極膜の表面における互いに対向する端辺の各々が、電源に接続される給電用端子部である一対の電極膜と、前記一方の電極膜の表面に互いに間隔を取って形成され、前記端辺に平行な方向に延びている帯状の複数の第１の補助電極膜または前記端辺に垂直な方向に延びている帯状の複数の第２の補助電極膜の少なくとも一方で構成されている補助電極膜群と、を有し、前記複数の第１の補助電極膜を前記端辺に垂直な方向に切断した断面で見たときの断面積が、前記端辺から離れた第１の補助電極膜ほど大きくなっており、前記複数の第２の補助電極膜の各々を前記端辺に平行な方向に切断した断面で見たときの断面積が、前記端辺から離れるにつれて大きくなっている。【０００９】
また、上記目的を達成するため本発明の他の有機エレクトロルミネッセンス照明装置は、有機発光膜と、前記有機発光膜を挟んで互いに対向して積層され、極性が互いに異なる矩形の一対の電極膜であって、一方の前記電極膜の表面における互いに対向する端辺の各々が、電源に接続される給電用端子部である一対の電極膜と、前記一方の電極膜の表面に互いに間隔を取って形成され、前記端辺に平行な方向に延びている帯状の複数の第１の補助電極膜と、を有し、前記一方の電極膜の表面における前記複数の第１の補助電極膜の本数を示す配線密度が、前記端辺から離れるにつれて高くなっている。
【発明の効果】
【００１０】
本発明によれば、一方の電極膜では、端辺の各々から離れるにつれて、第１の補助電極膜または第２の補助電極膜の少なくとも一方の断面積が大きくなっているか、または第１の補助電極膜の配線密度が高くなっている。これにより、端辺の各々から電極膜全体に電圧が印加されたとき、端辺から離れた領域で電圧降下が起こりにくくなる。その結果、電極膜における電圧の分布のばらつきが抑制されるので、有機発光膜における電圧の分布のばらつきも抑制される。よって、輝度の均一性が向上する。
【図面の簡単な説明】
【００１１】
【図１】実施形態１の有機エレクトロルミネッセンス照明装置の構造を示す平面図である。
【図２】図１に記載の切断線Ａ１−Ａ１に沿った断面図である。
【図３】実施形態１の有機エレクトロルミネッセンス照明装置における補助電極膜の他の配置パターンを示す平面図である。
【図４】実施形態１の有機エレクトロルミネッセンス照明装置における補助電極膜の他の配置パターンを示す平面図である。
【図５】実施形態１の有機エレクトロルミネッセンス照明装置における補助電極膜の他の配置パターンを示す平面図である。
【図６】実施形態１の有機エレクトロルミネッセンス照明装置における補助電極膜の他の配置パターンを示す平面図である。
【図７】実施形態２の有機エレクトロルミネッセンス照明装置の構造を示す平面図である。
【図８】図７に記載の切断線Ａ２−Ａ２に沿った断面図である。
【図９】実施形態３の有機エレクトロルミネッセンス照明装置の構造を示す平面図である。
【図１０】実施形態３の有機エレクトロルミネッセンス照明装置における補助電極膜の他の配置パターンを示す平面図である。
【発明を実施するための形態】
【００１２】
（実施形態１）
図１は、本実施形態の有機エレクトロルミネッセンス照明装置１０の構造を示す平面図である。図２は、図１に示す切断線Ａ１−Ａ１に沿った断面図である。なお、図１は、説明をわかりやすくするために、有機エレクトロルミネッセンス照明装置１０の構成要素の一部（層間絶縁膜４、有機発光膜５、電極膜２ｂ）の記載を省略している。
【００１３】
有機エレクトロルミネッセンス照明装置１０では、図２に示すように、透明基板１の表面に矩形の電極膜２ａが形成されている。透明基板１は、ガラス基板やプラスチック基板などである。電極膜２ａは、陽極であり、ＩＴＯ、ＺｎＯ、ＳｎＯ２（ネサガラス）などの透明な金属材料で形成されている。電極膜２ａの表面における互いに対向する端辺の各々は、電源の陽極に接続される給電用端子部６ａ、６ｂである。
【００１４】
電極膜２ａの表面には、帯状の複数の補助電極膜３ａ（第１の補助電極膜）と、帯状の複数の補助電極膜３ｂ（第２の補助電極膜）とで構成される補助電極膜群３が形成されている。複数の補助電極膜３ａは、図１に示すように給電用端子部６ａ、６ｂ（補助電極膜３ａの端辺）に平行な方向に延び、互いに間隔を取って配置されている。そして、給電用端子部６ａ、６ｂから離れた補助極膜３ａほど幅が広くなっている。
【００１５】
一方、複数の補助電極膜３ｂは、給電用端子部６ａ、６ｂに垂直な方向に延び、互いに間隔を取って配置されている。複数の補助電極膜３ｂの各々は、給電用端子部６ａ、６ｂから離れるにつれて幅が段階的に広くなっている。なお、各補助電極膜３ｂの幅は、給電用端子部６ａ、６ｂから離れるにつれて連続的に広くなっていてもよい。
【００１６】
補助電極膜３ａ、３ｂは、電極膜２ａよりも抵抗率の小さい金属材料、例えばＣｒ(クロム)、Ａｌ−Ｎｄ（アルミニウム−ネオジム合金）、Ｍｏ−Ｎｂ（モリブデン−ニオブ合金）などで形成されている。また、補助電極膜３ａ、３ｂは、モリブデンとアルミニウムとで構成される二層膜、あるいはアルミニウムをモリブデンで挟んだ三層膜であってもよい。なお、本発明では、補助電極膜群３の配置パターンは、図１に示すような格子状に限定されない。例えば、図３に示すように、補助電極膜群３は、複数の補助電極膜３ａのみで構成される配置パターンであってもよい。また、図４に示すように補助電極膜群３は、複数の補助電極膜３ｂのみで構成される配置パターンであってもよい。また、本実施形態では、複数の補助電極膜３ｂが遮光部分として見えるので、図５に示すようにデザイン性（対称性）を考慮した配置パターンであってもよい。図５では、複数の補助電極膜３ａは、電極膜２ａの中心Ｃで互いに直交し給電端子部６ａ、６ｂに平行な方向に延びている第１の軸線ｌおよび給電端子部６ａ、６ｂに垂直な方向に延びている第２の軸線ｍの各々に関して対称形となるように形成されている。そして、複数の補助電極膜３ａの各々の幅が第２の軸線ｍに近付くにつれて広くなっている。一方、電極膜３ｂについても、第１の軸線ｌおよび第２の軸線ｍの各々に関しておよびに関して対称形となるように形成され、各々の幅が第２の軸線ｍに近付くにつれて広くなっている。なお、本発明では、複数の補助電極膜３ａ、３ｂは、透明基板１に接する方の電極膜２ａの表面に形成されていてもよい。
【００１７】
複数の補助電極膜３ａ、３ｂの表面は、有機発光膜５の絶縁劣化を防ぐために層間絶縁膜４（図２参照）に覆われる。層間絶縁膜４の表面は、有機発光膜５（図２参照）に覆われる。本発明において、層間絶縁膜４、有機発光膜５の材料は、特に制限されるものでなく従来と同様でよい。有機発光膜５の表面は、電極膜２ａと一対の電極膜２ｂ（図２参照）に覆われる。電極膜２ｂは、陰極であり、本実施形態では電極膜２ａよりも抵抗率の小さい材料、例えばアルミニウムを用いて形成される。
【００１８】
上述した補助電極膜群３が形成されていない有機エレクトロルミネッセンス照明装置では、電源から給電用端子部６ａ、６ｂを通じて電極膜２ａ全体に電圧が印加されたとき、給電用端子部６ａ、６ｂから離れるにつれて（電極膜２ａの中心に近付くにつれて）電位が低くなる。しかし、本実施形態では、給電用端子部６ａ、６ｂから離れた補助電極膜３ａほど幅が広くなっている。そのため、複数の補助電極膜３ａを給電用端子部６ａ、６ｂに垂直な方向に切断した断面で見たときの断面積が、給電用端子部６ａ、６ｂから離れた補助電極膜３ａほど大きくなっている。また、本実施形態では、給電用端子部６ａ、６ｂから離れるにつれて複数の補助電極膜３ｂの各々の幅が広くなっている。そのため、複数の補助電極膜３ｂの各々を給電用端子部６ａ、６ｂに平行な方向に切断した断面で見たときの断面積が、給電用端子部６ａ、６ｂから離れるにつれて大きくなっている。
【００１９】
上述したように補助電極膜３ａ、３ｂを形成することによって、給電用端子部６ａ、６ｂから電極膜２ａ全体に電圧が印加されても、給電用端子部６ａ、６ｂから離れた領域で電圧降下が起こりにくくなる。その結果、電極膜２ａにおける電圧の分布のばらつきが抑制される。これにより、有機発光膜５における電圧の分布のばらつきも抑制されるので、有機発光膜５の輝度の均一性が向上する。
【００２０】
なお、本実施形態では、電極膜２ａの中心の最も近くに形成されている補助電極膜３ａの幅Ｗ１（図２参照）が広くなりすぎると、発光面積が狭くなる（補助電極膜３ａによる遮光面積が広くなる）ので、照度の低下を招く。そのため、幅Ｗ１は、給電用端子部６ａ、６ｂの各々の最も近くに形成されている補助電極膜３ａの幅Ｗ３（図２参照）の最大５倍程度とするのが望ましい。補助電極膜３ｂについても同様に、電極膜２ａの中心の最も近くに形成されている補助電極膜３ｂの幅は、給電用端子部６ａ、６ｂの各々の最も近くに形成されている補助電極膜３ｂの幅の最大５倍程度とすることが望ましい。
【００２１】
また、本実施形態では、複数の補助電極膜３ａ、３ｂが電極膜２ａの表面に形成される構成であったが、電極膜２ｂの表面に形成される構成、または電極膜２ａ、２ｂの両方の表面に形成される構成であってもよい。補助電極膜が形成される電極膜２ｂの表面は、有機発光膜５と接する面であってもよいし、またはその面と対向する（反対側の）面であってもよい。
【００２２】
図６は、補助電極膜が形成された電極膜２ｂの一例を示す平面図である。図６では、電極膜２ｂの表面における互いに対向する端辺が、電源の陰極に接続される給電用端子部６ｃ、６ｄとなっている。そして、電極膜２ｂの表面には、電極膜２ａと同様にして、帯状の複数の補助電極膜３ｃ（第３の補助電極膜）と、帯状の複数の補助電極膜３ｄ（第４の補助電極膜）と、が形成されている。複数の補助電極膜３ｃは、給電用端子部６ｃ、６ｄに平行な方向に延びている。一方、複数の補助電極膜３ｄは、給電用端子部６ｃ、６ｄに垂直な方向に延びている。補助電極膜３ｃ、３ｄの材料は、電極膜２ｂと同じ材料でもよいが、電極膜２ｂよりも抵抗率が小さい材料が望ましい。電極膜２ｂ全体の抵抗が低減するからである。具体的には、電極膜２ｂがアルミニウムを用いて形成されている場合、Ａｇ、Ａｕ、Ｃｕなどを用いる。ＡｇやＡｕを用いる場合には、有機発光膜５の成膜と同じ真空蒸着装置（加熱による蒸着）で形成できるので、簡便に補助電極膜３ｃ、３ｄを形成できる。また、Ｃｕを補助電極膜の材料として用いる場合には、スパッタやＣＶＤ（Chemical  Vapor  Deposition）を用いて成膜する。Ｃｕは融点が比較的高いので、エレクトロマイグレーションが起きにくく、またストレスマイグレーションも起きにくくなる。
【００２３】
（実施形態２）
本実施形態の有機エレクトロルミネッセンス照明装置２０について説明する。なお、ここでは、実施形態１の有機エレクトロルミネッセンス照明装置１０と同様な構成については同じ符号を付し、詳細な説明を省略する。
【００２４】
図７は、本実施形態の有機エレクトロルミネッセンス照明装置２０の構造を示す平面図である。図８は、図７に記載の切断線Ａ２−Ａ２に沿った断面図である。なお、図７は、説明をわかりやすくするために、有機エレクトロルミネッセンス照明装置２０の構成要素の一部（層間絶縁膜４、有機発光膜５、電極膜２ｂ）の記載を省略している。
【００２５】
本実施形態では、各補助電極膜３ａの幅は同一であるが、その膜厚は、給電用端子部６ａ、６ｂからの距離が長い補助電極膜３ａほど厚くなっている（図８参照）。そのため、実施形態１と同様に、給電用端子部６ａ、６ｂから離れた補助電極膜３ａほど断面積が大きくなっている。一方、補助電極膜３ｂの各々についても幅は同一であるが、その膜厚は、給電用端子部６ａ、６ｂから離れるにつれて厚くなっている。そのため、実施形態１と同様に、補助電極膜３ｂの各々は、給電用端子部６ａ、６ｂから離れるにつれて断面積が大きくなっている。
【００２６】
上述したように補助電極膜３ａ、３ｂを形成することによって、給電用端子部６ａ、６ｂから電極膜２ａ全体に電圧が印加されても、給電用端子部６ａ、６ｂから離れた領域で電圧降下が起こりにくくなる。その結果、電極膜２ａにおける電圧の分布のばらつきが抑制される。これにより、有機発光膜５における電圧の分布のばらつきも抑制されるので、有機発光膜５の輝度の均一性が向上する。
【００２７】
なお、本実施形態では、電極膜２ａの中心の最も近くに形成されている補助電極膜３ａの厚さｔ１（図８参照）が厚すぎると、補助電極膜３ａの段差が大きくなる。すると、補助電極膜３ａの後に形成される有機発光膜５および電極膜２ｂの膜厚が不均一になりやすくなるので、電極膜２ａと電極膜２ｂとの間で短絡が発生する可能性が高くなる。そこで、厚さｔ１は、給電用端子部６ａ、６ｂの各々の最も近くに形成されている補助電極膜３ａの厚さｔ３（図８参照）の最大３倍程度とすることが望ましい。補助電極膜３ｂについても同様に、電極膜２ａの中心の最も近くに形成されている補助電極膜３ｂの厚さは、給電用端子部６ａ、６ｂの各々の最も近くに形成されている補助電極膜３ｂの厚さの最大３倍程度とすることが望ましい。
【００２８】
また、本実施形態においても、複数の補助電極膜３ｃ、３ｄを電極膜２ｂの表面に形成する構成であってもよい。なお、複数の補助電極膜３ｃ、３ｄの形状は、実施形態１で説明した形状でもよいし、本実施形態で説明した補助電極膜３ａ、３ｂと同様な形状であってもよい。
【００２９】
（実施形態３）
本実施形態の有機エレクトロルミネッセンス照明装置３０について説明する。なお、ここでは、実施形態１の有機エレクトロルミネッセンス照明装置１０と同様な構成については同じ符号を付し、詳細な説明を省略する。
【００３０】
図９は、本実施形態の有機エレクトロルミネッセンス照明装置３０の構造を示す平面図である。なお、図９は、説明をわかりやすくするために、有機エレクトロルミネッセンス照明装置３０の構成要素の一部（層間絶縁膜４、有機発光膜５、電極膜２ｂ）の記載を省略している。
【００３１】
本実施形態の有機エレクトロルミネッセンス照明装置３０では、複数の補助電膜３ａが互いに異なる間隔で、電極膜２ａの端辺に平行な方向に延びている。なお、本実施形態では、図１０に示すようにデザイン性を考慮して複数の補助電極膜３ａ、３ｂが第１の軸線ｌおよび第２の軸線ｍの各々に関して対称形となるように形成した配置パターンであってもよい。
【００３２】
本実施形態では、各補助電極膜３ａの形状（幅、厚さ）は同一であるが、電極膜２ａの表面における複数の補助電極膜３ａの本数を示す配線密度が給電用端子部６ａ、６ｂから離れるにつれて高くなっている。これにより、給電用端子部６ａ、６ｂから電極膜２ａ全体に電圧が印加されても、給電用端子部６ａ、６ｂから離れた領域で電圧降下が起こりにくくなる。その結果、電極膜２ａにおける電圧の分布のばらつきが抑制される。これにより、有機発光膜５における電圧の分布のばらつきも抑制されるので、有機発光膜５の輝度の均一性が向上する。
【００３３】
なお、本実施形態では、図１０に示すようなパターンで補助電極膜３ａ、３ｂを形成する場合、電極膜２ａの中心Ｃ近辺の補助電極膜３ａの配線密度が高くなりすぎると、発光面積が狭くなる（補助電極膜３ａによる遮光面積が広くなる）ので、照度の低下を招く。そのため、この補助電極膜３ａの配線密度は、給電用端子部６ａ、６ｂの近辺における補助電極膜３ａ、３ｂの配線密度の最大５倍程度とするのが望ましい。
【００３４】
また、本実施形態においても、本実施形態で説明した補助電極膜３ａと同様な形状の複数の補助電極膜３ｃを電極膜２ｂの表面に形成する構成であってもよい。あるいは、実施形態１、２で説明した形状の補助電極膜３ａ、３ｂを電極膜２ｂの表面に形成する構成であってもよい。
【００３５】
以上、実施形態を参照して本願発明を説明したが、本願発明は上記実施形態に限定されるものではない。本願発明の構成や詳細には、本願発明の範囲内で当業者が理解し得る様々な変更をすることができる。
【００３６】
この出願は、２０１０年６月７日に出願された日本出願特願２０１０−１３０００９を基礎とする優先権を主張し、その開示の全てをここに取り込む。
【符号の説明】
【００３７】
１  透明基板
２ａ、２ｂ  電極膜
３  補助電極膜群
３ａ、３ｂ、３ｃ、３ｄ  補助電極膜
４  層間絶縁膜
５  有機発光膜
６ａ、６ｂ、６ｃ、６ｄ  給電用端子部
１０、２０、３０  有機エレクトロルミネッセンス照明装置
【図１】
2011155306.tif 000003
【図２】
2011155306.tif 000004
【図３】
2011155306.tif 000005
【図４】
2011155306.tif 000006
【図５】
2011155306.tif 000007
【図６】
2011155306.tif 000008
【図７】
2011155306.tif 000009
【図８】
2011155306.tif 000010
【図９】
2011155306.tif 000011
【図１０】
2011155306.tif 000012
【国際調査報告】
2011155306.tif 000013
2011155306.tif 000014
2011155306.tif 000015
2011155306.tif 000016